(57)【要約】【課題】遺体の個体差に拘らず使用することができ、また装着が容易な遺体用下顎保持具及び遺体用下顎保持具セットの提供。【解決手段】保持具本体２Ｌの凸部９に付加部材１１の凹部１３を嵌めて保持具本体２Ｌと付加部材１１とを連結させると、棒状部３Ｌを伸長することができる。また、遺体用下顎保持具１は長さ寸法の異なる保持具本体２Ｌ、２Ｍ、２Ｓを交換することによっても長さ寸法を変更することができる。遺体用下顎保持具１ａの先端側の交換端部１５を交換端部２１に交換すれば、遺体用下顎保持具１の他端側を平らな端面２４を有する他端側当接部２３として使用することができる。さらに、この遺体用下顎保持具１ａを下顎と肩甲骨の上側に張設するだけであるため、遺体に容易に装着することができる。【選択図】        図１
2014213118.tif 000002
【特許請求の範囲】
【請求項１】
一端に一端側当接部が設けられた棒状部と、前記棒状部の他端に設けられた他端側当接部とを有し、遺体の下顎と胴体に両端の当接部をそれぞれ当接してその間で張設させることで、下顎を突っ張り支持して口を閉じた状態に保つことを特徴とする遺体用下顎保持具。
【請求項２】
請求項１に記載した遺体用下顎保持具において、他端側当接部は棒状部に対し着脱自在で交換可能であることを特徴とする遺体用下顎保持具。
【請求項３】
請求項２に記載した遺体用下顎保持具において、棒状部は他端側に付加部材を取り付けることにより伸長可能であることを特徴とする遺体用下顎保持具。
【請求項４】
請求項３に記載した遺体用下顎保持具において、付加部材は複数個備えられ、付加部材どうしが互いに連結可能であることを特徴とする遺体用下顎保持具。
【請求項５】
請求項１から４のいずれかに記載した遺体用下顎保持具において、一端側当接部の端面と他端側当接部の端面の少なくとも一方が平らに形成されていることを特徴とする遺体用下顎保持具。
【請求項６】
請求項１から４のいずれかに記載した遺体用下顎保持具において、一端側当接部の端面と他端側当接部の端面の少なくとも一方が球状に形成されていることを特徴とする遺体用下顎保持具。
【請求項７】
請求項２から４のいずれかに記載した複数の棒状部と、複数の付加部材と、複数の他端側当接部を含み、その中からの任意の組合せにより遺体に適した長さ及び当接部を有する遺体用下顎保持具を構成することが可能となっていることを特徴とする遺体用下顎保持具セット。
【発明の詳細な説明】
【技術分野】
【０００１】
本発明は遺体用下顎保持具及び遺体用下顎保持具セットに係り、特に遺体の口が開くのを防止する遺体用下顎保持具及び遺体用下顎保持具セットに関するものである。
【背景技術】
【０００２】
一般に、ヒトの死後には筋肉が弛緩し、その後硬直する。この筋肉が弛緩するときに遺体を仰向の状態等にしておくと、顎周辺の筋肉が弛緩して下顎が上顎から離れて口が開いた状態となってしまい、遺族等から見たときに好ましいとは言えない。従って、通常は遺体の口を閉じた状態とする処置が行われる。
このような処置として、従来から複数枚の脱脂綿を口腔から咽頭に向かって挿入し、下顎の後方を下方向に圧迫させて口を閉じさせる方法が用いられている。しかし、この処置方法ではガスや体液などが喉から排出できなくなって体内に溜まってしまったり、目や耳などから出てきてしまったりすることもある
【０００３】
そこで、特許文献１に記載されるような上側の臼歯と下側の臼歯を挟持して上側の臼歯と下側の臼歯を係合させる遺体用下顎保持具を用いて口を閉じた状態とする処置が行われる。
【先行技術文献】
【特許文献】
【０００４】
【特許文献１】特開２０１０−１１０４７１号公報
【発明の概要】
【発明が解決しようとする課題】
【０００５】
しかしながら、特許文献１の遺体用下顎保持具は臼歯のサイズが大きく異なる遺体、例えば小人と大人の遺体の両方に同じ大きさのものを用いることができず、臼歯の大きさが大きく異なる遺体ごとに異なる大きさのものを用意しなければならないという問題がある。
また、このような遺体用下顎保持具は上下の臼歯に正確に取り付けなければならないため、装着が難しいという問題がある。
【０００６】
本発明は上記従来の問題に着目して為されたものであり、遺体の臼歯のサイズの違いなどの個体差に拘らず使用することができ、また装着が容易な遺体用下顎保持具及び遺体用下顎保持具セットの提供を、その目的とする。
【課題を解決するための手段】
【０００７】
本発明は上記課題を解決するためになされたものであり、請求項１の発明は、一端に一端側当接部が設けられた棒状部と、前記棒状部の他端に設けられた他端側当接部とを有し、遺体の下顎と胴体に両端の当接部をそれぞれ当接してその間で張設させることで、下顎を突っ張り支持して口を閉じた状態に保つことを特徴とする遺体用下顎保持具である。
【０００８】
請求項２の発明は、請求項１に記載した遺体用下顎保持具において、他端側当接部は棒状部に対し着脱自在で交換可能であることを特徴とする遺体用下顎保持具である。
【０００９】
請求項３の発明は、請求項２に記載した遺体用下顎保持具において、棒状部は他端側に付加部材を取り付けることにより伸長可能であることを特徴とする遺体用下顎保持具である。
【００１０】
請求項４の発明は、請求項３に記載した遺体用下顎保持具において、付加部材は複数個備えられ、付加部材どうしが互いに連結可能であることを特徴とする遺体用下顎保持具である。
【００１１】
請求項５の発明は、請求項１から４のいずれかに記載した遺体用下顎保持具において、一端側当接部の端面と他端側当接部の端面の少なくとも一方が平らに形成されていることを特徴とする遺体用下顎保持具である。
【００１２】
請求項６の発明は、請求項１から４のいずれかに記載した遺体用下顎保持具において、一端側当接部の端面と他端側当接部の端面の少なくとも一方が球状に形成されていることを特徴とする遺体用下顎保持具である。
【００１３】
請求項７の発明は、請求項２から４のいずれかに記載した複数の棒状部と、複数の付加部材と、複数の他端側当接部を含み、その中からの任意の組合せにより遺体に適した長さ及び当接部を有する遺体用下顎保持具を構成することが可能となっていることを特徴とする遺体用下顎保持具セットである。
【発明の効果】
【００１４】
本発明の遺体用下顎保持具及び遺体用下顎保持具セットによれば、棒状部の長さ寸法や他端側当接部の形状を変更することによって遺体の個体差に拘らず使用することが可能である。
また、本発明の遺体用下顎保持具は遺体の下顎と胴体に両端側当接部をそれぞれ当接してその間で張設させるものであるため、遺体に容易に装着することが可能となる。
【図面の簡単な説明】
【００１５】
【図１】本発明の実施の形態に係る遺体用下顎保持具セットの斜視図である。
【図２】図１の遺体用下顎保持具の保持具本体の凸部、付加部材の凸部、付加部材の凹部及び交換端部の凹部の形状について説明するための一部拡大図である。
【図３】図８の遺体用下顎保持具のＡ−Ａ断面図である。
【図４】図１の遺体用下顎保持具の長さ寸法を変更する方法を説明する側面図である。
【図５】図１の遺体用下顎保持具の使用方法を説明するための図である。
【図６】図１の遺体用下顎保持具の使用方法を説明するための図である。
【図７】図１の遺体用下顎保持具の使用方法を説明するための図である。
【図８】図１の遺体用下顎保持具の他端側当接部を交換する方法を説明するための斜視図である。
【発明を実施するための形態】
【００１６】
本発明の実施の形態に係る遺体用下顎保持具を図面に従って説明する。本実施の形態において、遺体用下顎保持具は構成部材を変更することによって複数種類の構成を有するものとなるので、これら複数種類の遺体用下顎保持具の全体を指して説明する場合には、符号１を用い、構成の異なる各遺体用下顎保持具を特定して説明する場合には、符号１の後にａ、ｂ、ｃ…を付すものとする。
符号２Ｌは保持具本体を示し、この保持具本体２Ｌは棒状部３Ｌ、一端側当接部５及び凸部９とから成る。棒状部３Ｌは外周部の四隅部分がアール状となった柱形状に形成されている。
符号２Ｍ、２Ｓは保持具本体を示し、保持具本体２Ｍの棒状部３Ｍは棒状部３Ｌより短く、保持具本体２Ｓの棒状部３Ｓは棒状部３Ｍより短く設定されている。
棒状部３Ｍ、３Ｓは棒状部３Ｌと同じ外周部の四隅部分がアール状となった柱形状に形成されている。
【００１７】
棒状部３Ｌ、３Ｍ、３Ｓの一端には楕円盤状の一端側当接部５が設けられており、この一端側当接部５の端面７は平らに形成されている。また、棒状部３Ｌ、３Ｍ、３Ｓの他端には、端面８側から見て十字形を為す凸部９が設けられている。
保持具本体２Ｌの長さ寸法Ｐは１００ｍｍに設定されており、保持具本体２Ｍの長さ寸法Ｑは７０ｍｍに設定されており、保持具本体２Ｓの長さ寸法Ｒは４０ｍｍに設定されている。また、凸部９の長さ寸法Ｋは５ｍｍに設定されている。
【００１８】
符号１１は付加部材を示し、この付加部材１１の長さ寸法Ｔは１５ｍｍである。付加部材１１は一端に凸部９がぴったり嵌り込む形状の凹部１３が形成され、他端には端面１２側から見て十字形を為す、凸部９と同じの形状・寸法の凸部１４が形成されている。
【００１９】
符号１５は交換端部を示し、この交換端部１５は一端側に凸部９、１４がぴったり嵌り込む形状の凹部１６が形成されている。交換端部１５の他端側には他端側当接部１７が形成されており、この他端側当接部１７の端面１９は球状を為している。交換端部１５の長さ寸法Ｕは１５ｍｍに設定されている。
符号２１は交換端部を示し、この交換端部２１は他端側当接部１７を除いて交換端部１５と同様の構成を有するので、同様の構成部分については交換端部１５と同じ符号を付し、その説明を省略する。交換端部２１の他端側当接部２３は円盤状に形成されており、この他端側当接部２３の端面２４は平らとなっている。なお、交換端部２１の長さ寸法は１５ｍｍに設定されている。
【００２０】
これらの遺体用下顎保持具１は透明色のポリカーボネート製であり、焼却してもダイオキシン等の有害物質が発生せず、燃え残ることもない環境に配慮した材料で構成されている。
三つの保持具本体２Ｌ、２Ｍ、２Ｓ、二つの付加部材１１、及び二種類の交換端部１５、２１によって遺体用下顎保持具セット２５が構成されている。
【００２１】
本発明の遺体用下顎保持具セット２５の各部材を組み合わせて構成する遺体用下顎保持具１の使用方法について、図面に従って説明する。
遺体用下顎保持具１の長さ寸法の変更方法を説明する。
図８（ａ）に示すように、保持具本体２Ｌの凸部９に付加部材１１の凹部１３を嵌めて保持具本体２Ｌと付加部材１１とを連結させ、棒状部３Ｌを伸長する。そして、付加部材１１の凸部１４にもうひとつの付加部材１１の凹部１３を嵌めて付加部材１１どうしを連結させる。このようにして互いに連結した２つの付加部材１１を保持具本体２Ｌに連結して、棒状部３Ｌを伸長する。さらに先端側の付加部材１１の凸部１４に交換端部１５の凹部１６を嵌めて保持具本体２Ｌと交換端部１５を接続し、遺体用下顎保持具１ａを組み立てる。
【００２２】
図４（ａ）に示すように、保持具本体２Ｌの長さ寸法Ｐは１００ｍｍに設定され、付加部材１１の長さ寸法Ｔは１５ｍｍに設定されている。交換端部１５の長さ寸法Ｕは１５ｍｍに設定され、凸部９、１４の長さ寸法Ｋはそれぞれ５ｍｍに設定されている。従って、前述の遺体用下顎保持具１ａの長さ寸法Ｗ１は長さ寸法Ｐ−長さ寸法Ｋ＋（長さ寸法Ｔ−長さ寸法Ｋ）×２＋長さ寸法Ｕで１３０ｍｍとなる。
この遺体用下顎保持具１ａの付加部材１１を一つ減らすと長さ寸法Ｗ１より１０ｍｍ短くなり、１２０ｍｍの長さ寸法となる（図示せず）。
図４ｂに示すように、遺体用下顎保持具１ａの付加部材１１を二つ減らす（付加部材１１を連結しない）と長さ寸法Ｗ１から２０ｍｍ短くなって１１０ｍｍの長さ寸法Ｗ２を有する遺体用下顎保持具１ｂとなる。このように付加部材１１を連結させる数によって遺体用下顎保持具１の長さ寸法を１０ｍｍずつ調節することができる。
【００２３】
遺体用下顎保持具１は長さ寸法の異なる保持具本体２Ｌ、２Ｍ、２Ｓを交換することによっても長さ寸法を変更することができる。
図４（ｃ）に示すように、保持具本体２Ｍと、付加部材１１を二つと、交換端部１５を連結させた遺体用下顎保持具１ｃの長さ寸法Ｗ３は、長さ寸法Ｑ−長さ寸法Ｋ＋（長さ寸法Ｔ−長さ寸法Ｋ）×２＋長さ寸法Ｕで１００ｍｍとなる。
図４（ｄ）に示すように、保持具本体２Ｍと交換端部１５とを連結させ、付加部材１１を連結していない状態の遺体用下顎保持具１ｄの長さ寸法Ｗ４は長さ寸法Ｗ３より２０ｍｍ短くなって８０ｍｍとなる。
図４（ｅ）に示すように、保持具本体２Ｓと付加部材１１を二つと交換端部１５を連結させた遺体用下顎保持具１ｅの長さ寸法Ｗ５は長さ寸法Ｒ−長さ寸法Ｋ＋（長さ寸法Ｔ−長さ寸法Ｋ）×２＋長さ寸法Ｕで７０ｍｍとなる。
図４（ｆ）に示すように、保持具本体２Ｓと交換端部１５を連結させ、付加部材１１を連結していない状態の遺体用下顎保持具１ｆの長さ寸法Ｗ６は長さ寸法Ｗ５より２０ｍｍ短くなって５０ｍｍとなる。
【００２４】
遺体用下顎保持具１ａを使用して遺体の口を閉じた状態とするときは、図５、６に示すように、遺体用下顎保持具１の長さ寸法を調節して一端側当接部５を遺体の下顎の左寄りの部分に当接し、交換端部１５の他端側当接部１７を左側の肩甲骨の上側に当接してその間で張設し、下顎を突っ張り支持する。もう一本の遺体用下顎保持具１ａを上記の場合と同様に下顎の右寄りの部分と右側の肩甲骨の上側の間で張設し、下顎を突っ張り支持する。
このように、下顎と肩甲骨の上側に張設するだけであるため、遺体用下顎保持具１ａを遺体に容易に装着することができる。
【００２５】
遺体の骨格や肉付き等によっては上記下顎の右寄りの部分と右側の肩甲骨の上側、あるいは下顎の左寄りの部分と左側の肩甲骨の上側に遺体用下顎保持具１ａを張設できない場合がある。その場合には図７に示すように、遺体用下顎保持具１ａを下顎の中央部分と左右の肩甲骨の中間部分との間で張設して、一本の遺体用下顎保持具１ａで下顎を突っ張り支持する。
【００２６】
遺体の骨格や肉付き等によっては端面１９が鎖骨の上側から滑ってしまい、遺体用下顎保持具１を下顎と肩甲骨の上側に張設させることができないことがある。その場合には、遺体用下顎保持具１の上下を入れ替えて交換端部１５の他端側当接部１７を遺体の下顎に当接し、一端側当接部５を肩甲骨の上側に当接して、下顎を突っ張り支持してもよい。
さらに、図８ｂに示すように、付加部材１１に交換端部２１を連結して、遺体用下顎保持具１の他端側を平らな端面２４を有する他端側当接部２３として使用することができる。また、図８ｃに示すように、交換端部１５、２１を取り付けずに付加部材１１の凸部１４を他端側当接部とすることが可能である。同様に、保持具本体２Ｌ、２Ｍ、２Ｓの凸部９を他端側当接部として使用することもできる。
以上のように、遺体の骨格や肉付き等に合わせて遺体用下顎保持具セット２５の棒状部３Ｌ、３Ｍ、３Ｓ、付加部材１１及び他端側当接部１５、２１を任意の組合せにより遺体に適した長さ及び当接部を有する遺体用下顎保持具１を構成することが可能となっている。従って、遺体用下顎保持具１を遺体の個体差に拘らず使用することができる。
【００２７】
以上、本発明の実施の形態について詳述してきたが、具体的構成は、この実施の形態に限られるものではなく、本発明の要旨を逸脱しない範囲における設計の変更などがあっても発明に含まれる。
例えば、本実施の形態の一端側当接部５、他端側当接部１７、２３はこれ等の形状に限定されず、例えば半球形状等でもよい。また、本実施の形態の一端側当接部５、他端側当接部１７、２３のサイズは適宜変更してもよい。
【００２８】
また、本実施の保持具本体２Ｌの長さ寸法Ｐは１００ｍｍ、保持具本体２Ｍの長さ寸法Ｑは７０ｍｍ、保持具本体２Ｓの長さ寸法Ｒは４０ｍｍに設定したが、本発明はこれらに限定されず、長さ寸法Ｐ、Ｑ、Ｒは適宜変更可能である。同様に付加部材１１の長さ寸法Ｔは１５ｍｍに設定したが、本発明はこれに限定されず、長さ寸法Ｔは適宜変更可能である。
【００２９】
本実施の遺体用下顎保持具セット２５は三つの保持具本体２Ｌ、２Ｍ、２Ｓが含む構成としたが、本発明はこれに限定されず、例えば二つの保持具本体で構成されても四つ以上の保持具本体を含む構成としてもよい。同様に、遺体用下顎保持具セット２５には二つの付加部材１１、及び二種類の交換端部１５、２１を含む構成としたが、本発明はこれに限定されず、例えば付加部材を三つ以上含む構成としてもよく、交換端部も三種類以上含む構成としてもよい。
【００３０】
本実施の遺体用下顎保持具１の材料はポリカーボネート製であったが、本発明はこれに限定されず、焼却してもダイオキシン等が発生せず、燃え残ることがない環境に配慮いた材料ならどのようなものでもよく、例えばポリプロピレンやポリスチレン等でもよい。
さらに、本実施の遺体用下顎保持具１は透明色であったが、本発明はこれに限定されず、乳白色等でもよい。
また、本実施の形態では、遺体用下顎保持具１ａを一本、又は二本使用して下顎を突っ張り支持させたが、本発明はこれに限定されず、三本以上使用してもよい。
【産業上の利用可能性】
【００３１】
遺体用下顎保持具の製造業や、遺体を納棺する葬儀社・納棺師等で利用可能性を有する。
【符号の説明】
【００３２】
１、１ａ、１ｂ、１ｃ、１ｄ、１ｅ、１ｆ…遺体用下顎保持具
２Ｌ、２Ｍ、２Ｓ…保持具本体        ３Ｌ、３Ｍ、３Ｓ…棒状部
５…一端側当接部                    ７、８…端面
９…凸部                          １１…付加部材
１２…端面                          １３…凹部
１４…凸部                          １５…交換端部
１６…凹部                          １７…他端側当接部
１９…端面                          ２１…交換端部
２３…他端側当接部                  ２４…端面
２５…遺体用下顎保持具セット
Ｐ…保持具本体２Ｌの長さ寸法        Ｑ…保持具本体２Ｍの長さ寸法
Ｒ…保持具本体２Ｓの長さ寸法        Ｋ…凸部９、１４の長さ寸法
Ｔ…付加部材１１の長さ寸法          Ｕ…交換端部１５の長さ寸法
Ｗ１、Ｗ２、Ｗ３、Ｗ４、Ｗ５、Ｗ６…遺体用下顎保持具の長さ寸法
【図１】
2014213118.tif 000003
【図２】
2014213118.tif 000004
【図３】
2014213118.tif 000005
【図４】
2014213118.tif 000006
【図５】
2014213118.tif 000007
【図６】
2014213118.tif 000008
【図７】
2014213118.tif 000009
【図８】
2014213118.tif 000010